(57)【要約】  ＯＦＤＭＡ方式の通信ネットワークにおけるサブキャリア割り当て方法を提供する。ネットワークはネットワークコントローラおよび複数の基地局を含み、ネットワークは相異なるセルおよび／またはセクタに分割され、ＯＦＤＭＡフレーム構造体のアクティブな直交サブキャリアのサブセットを形成することによってサブチャネルが生成される。本方法は、基地局が、トラフィック負荷、および／または隣接および／または他のセルおよび／またはセクタからの干渉を測定し、該測定の結果に基づいてセルおよび／またはセクタへのサブチャネルの割り当てが実行されることを特徴とする。さらに、ＯＦＤＭＡ技術を適用したネットワークが開示される。
2011523313.tif 000002
【特許請求の範囲】
【請求項１】
ＯＦＤＭＡ方式の通信ネットワークにおけるサブキャリア割り当て方法において、前記ネットワークはネットワークコントローラおよび複数の基地局を含み、前記ネットワークは相異なるセルおよび／またはセクタに分割され、ＯＦＤＭＡフレーム構造体のアクティブな直交サブキャリアのサブセットを形成することによってサブチャネルが生成され、
前記基地局が、トラフィック負荷、および／または隣接および／または他のセルおよび／またはセクタからの干渉を測定し、
該測定の結果に基づいて前記セルおよび／またはセクタへの前記サブチャネルの割り当てが実行される
ことを特徴とする、ＯＦＤＭＡ方式の通信ネットワークにおけるサブキャリア割り当て方法。
【請求項２】
前記複数の基地局が、アクセスポイント、中継局および／またはフェムト無線基地局を含むことを特徴とする請求項１に記載の方法。
【請求項３】
前記基地局が、自己の測定の結果を前記ネットワークコントローラに報告することを特徴とする請求項１または２に記載の方法。
【請求項４】
前記基地局が、追加的情報を前記ネットワークコントローラへ送信し、該情報が、周囲の基地局のＩＤ、必要なサブチャネル数、前記サブチャネルが割り当てられるべき時刻、サポートされる最大コネクション数および／またはサポートされる最大トラフィック負荷を含むことを特徴とする請求項１ないし３のいずれか１項に記載の方法。
【請求項５】
前記ネットワークコントローラが、前記基地局から受信した前記測定結果および／または前記追加的情報に基づいて、前記セルおよび／またはセクタのそれぞれに対する適当なサブチャネル数を計算することを特徴とする請求項１ないし４のいずれか１項に記載の方法。
【請求項６】
前記ネットワークコントローラが、前記計算した適当な個数のサブチャネルを前記セルおよび／またはセクタに割り当てることを特徴とする請求項５に記載の方法。
【請求項７】
前記ネットワークコントローラは、トラフィック負荷が変化している場合、前記セルおよび／またはセクタに割り当てられたサブチャネルの個数および／または位置を動的に調整することを特徴とする請求項１ないし６のいずれか１項に記載の方法。
【請求項８】
前記ネットワークコントローラは、前記ネットワークの既存の基地局が無効化され、および／または新たな基地局が前記ネットワークに追加された場合、サブチャネルを再割り当てすることを特徴とする請求項１ないし７のいずれか１項に記載の方法。
【請求項９】
前記ネットワークコントローラが、割り当て／再割り当てについて前記基地局に通知することを特徴とする請求項６ないし８のいずれか１項に記載の方法。
【請求項１０】
前記基地局が、前記ネットワークコントローラからのそれぞれの通知の後、前記セルおよび／またはセクタに対する前記配分されたサブチャネルを使用することを特徴とする請求項９に記載の方法。
【請求項１１】
前記基地局が、前記測定の結果に基づいて、自己のセルおよび／またはセクタに対するサブチャネルの個数および割り当てを変更することを前記ネットワークコントローラに要求することを特徴とする請求項１ないし１０のいずれか１項に記載の方法。
【請求項１２】
前記測定が、周期的に実行されることを特徴とする請求項１ないし１１のいずれか１項に記載の方法。
【請求項１３】
前記測定が、前記ネットワークコントローラの命令の下で実行されることを特徴とする請求項１ないし１２のいずれか１項に記載の方法。
【請求項１４】
前記干渉測定が、全周波数帯域にわたるＯＦＤＭＡフレームのプリアンブル、一部の周波数帯域にわたるサブキャリアのプリアンブル、および／またはパイロットプリアンブルに基づいて実行されることを特徴とする請求項１ないし１３のいずれか１項に記載の方法。
【請求項１５】
ＯＦＤＭＡ技術を適用したネットワークにおいて、該ネットワークはネットワークコントローラおよび複数の基地局を含み、該ネットワークは相異なるセルおよび／またはセクタに分割され、ＯＦＤＭＡフレーム構造体のアクティブな直交サブキャリアのサブセットを形成することによってサブチャネルが生成され、
前記基地局が、トラフィック負荷、および／または隣接および／または他のセルおよび／またはセクタからの干渉を測定するように構成され、
該測定の結果に基づいて前記セルおよび／またはセクタへの前記サブチャネルの割り当てを実行する制御手段が設けられたことを特徴とするネットワーク。
【請求項１６】
前記複数の基地局が、アクセスポイント、中継局および／またはフェムト無線基地局を含むことを特徴とする請求項１５に記載のネットワーク。
【請求項１７】
前記ネットワークコントローラが、ＡＳＮ（アクセスサービスネットワーク）ゲートウェイであることを特徴とする請求項１５または１６に記載のネットワーク。
【発明の詳細な説明】
【技術分野】
【０００１】
本発明は、ＯＦＤＭＡ方式の通信ネットワークにおけるサブキャリア割り当て方法に関する。前記ネットワークはネットワークコントローラおよび複数の基地局を含み、前記ネットワークは相異なるセルおよび／またはセクタに分割され、ＯＦＤＭＡフレーム構造体のアクティブな直交サブキャリアのサブセットを形成することによってサブチャネルが生成される。
【０００２】
また、本発明は、ＯＦＤＭＡ技術を適用したネットワークに関する。該ネットワークはネットワークコントローラおよび複数の基地局を含み、該ネットワークは相異なるセルおよび／またはセクタに分割され、ＯＦＤＭＡフレーム構造体のアクティブな直交サブキャリアのサブセットを形成することによってサブチャネルが生成される。
【背景技術】
【０００３】
ＯＦＤＭＡ（直交周波数分割多元接続）は、多数の密集した直交サブキャリアの使用に基づくデータ伝送のための、現在広く知られている技術である。特に、無線通信システムにおいて、ＯＦＤＭＡはますます普及しており、今後の４Ｇモバイル通信標準や無線ブロードバンドネットワークの候補と目されている。無線通信システムにおけるＯＦＤＭＡの普及している応用例として、ＷｉＭＡＸが挙げられる。ＷｉＭＡＸは World Wide Interoperability for Microwave Access の略で、ＩＥＥＥ８０２．１６の標準ファミリに基づいている。ＯＦＤＭＡの普及しているもう１つの応用例にＬＴＥがある。ＬＴＥは Long Term Evolution の略で、３ＧＰＰ標準化機関によって規定された標準に基づいている。
【０００４】
従来のＯＦＤＭＡ通信システムでは、ＯＦＤＭＡフレーム構造体が、周波数領域ではサブキャリアによって、そして時間領域ではシンボルによって分割される。ユーザには、データを送受信する際に、「バースト」と呼ばれる２次元（時間領域および周波数領域）の割り当てが配分される。従来技術の解決法によれば、周波数領域のアクティブな直交サブキャリアがサブキャリアのサブセットに分割される。各サブセットをサブチャネルという。例えば、ＴＤＤ（時分割二重）ＯＦＤＭＡフレーム構造体をモバイルＷｉＭＡＸに用いた例を図１に示す。周波数領域（縦軸）において、フレーム構造体はサブチャネルｓ，ｓ＋１，ｓ＋２，...，ｓ＋Ｌによって分割され、各サブチャネルは複数のＯＦＤＭＡサブキャリア（図示せず）から構成される。時間領域において、フレーム構造体はＯＦＤＭＡシンボル（ｋで番号付ける）によって分割される。
【０００５】
ＯＦＤＭＡ通信システムでは、各ユーザにサブキャリアのサブセットが排他的に配分されるので、セル内干渉は回避される。しかし、無線ネットワークに割り当てられるスペクトルリソースには限りがあるので、相異なるセル間の干渉は難しい問題であり、スペクトルの効率的利用が可能なリソース割り当て方式を使用できることが重要である。一般に、より低いネットワークコストで大きい容量およびカバレジを達成するために、ネットワーク計画段階中にさまざまな周波数再利用率が設定される。例えば、周波数再利用のある具体的シナリオによれば、ネットワークのすべてのセル（または少なくともある一定数のセル）が同じ周波数帯で動作する可能性がある。これは、相異なるセル内のユーザのバーストが重畳して重大な同一チャネル干渉（co-channel interference, ＣＣＩ）を生じる可能性があることを意味する。
【０００６】
ＣＣＩを低減するため、いわゆるセグメンテーションを用いてスペクトル効率を最大化することにより、３（またはそれ以上）という周波数再利用率を実現することができる。例えば、ＷｉＭＡＸでは、すべてのサブチャネルをさらに３つ（またはそれ以上）にグループ分けし、各サブチャネルグループをセグメントとする。各セグメントは、ネットワーク計画段階中に相異なるセクタまたはセルに配分されるので、干渉が回避される。図２は、同一チャネル干渉を回避するために、セグメントと呼ばれるサブチャネルグループをネットワークの相異なるセクタにどのように配分するかの具体例を示している。
【０００７】
通常、ネットワークに対する周波数再利用の設定は、ネットワーク計画段階に決定され、ネットワークの運用中は固定される。しかし、今日では、ネットワークは、その運用段階中に静的であると仮定することはできない。特に、移動する中継局やフェムトセルアクセスポイントのようなノマディック基地局の使用が着実に増加しているので、最新の通信ネットワークのトポロジーおよび特性は、運用中に動的に変化する。その結果、ネットワークの初期配備中に最適に配分されたリソース割り当ては、その後のネットワーク運用段階中に次善あるいは非効率になる可能性がある。
【発明の概要】
【発明が解決しようとする課題】
【０００８】
したがって、本発明の目的は、頭書のような方法およびネットワークにおいて、無線リソースの利用効率を向上させるとともに、ネットワーク運用段階中の同一チャネル干渉の影響を最小限にするような改良およびさらなる展開を行うことである。
【課題を解決するための手段】
【０００９】
本発明によれば、上記の目的は、請求項１の構成を備えた方法によって達成される。この請求項に記載の通り、本方法は、以下のことを特徴とする。すなわち、前記基地局が、トラフィック負荷、および／または隣接および／または他のセルおよび／またはセクタからの干渉を測定し、該測定の結果に基づいて前記セルおよび／またはセクタへの前記サブチャネルの割り当てが実行される。
【００１０】
また、上記の目的は、請求項１５の構成を備えたネットワークによって達成される。この請求項に記載の通り、本ネットワークは、以下のことを特徴とする。すなわち、前記基地局が、トラフィック負荷、および／または隣接および／または他のセルおよび／またはセクタからの干渉を測定するように構成され、該測定の結果に基づいて前記セルおよび／またはセクタへの前記サブチャネルの割り当てを実行する制御手段が設けられる。
【００１１】
本発明によって初めて認識されたこととして、ネットワーク計画段階中にサブチャネルの配分を決定すると、ネットワーク運用段階中にはほぼ固定されるので、動的に変化する干渉状態にも、動的に変化するネットワーク負荷にも適応できない。さらに認識されたこととして、これはネットワークにおいてノマディック型基地局が使用される場合にはかなり重大な問題である。というのは、このような基地局に対して使用されるサブチャネルは、隣接するセル／セクタ内の既存の基地局に対してすでに使用されているサブチャネルと重畳し、それにより同一チャネル干渉を引き起こす可能性が非常に高いからである。本発明によれば、ネットワークの基地局がセル／セクタ内の全トラフィック負荷および／または隣接するセルおよび／またはセクタから受ける干渉パワーの測定を実行する。この測定の結果に基づいて、サブチャネル割り当てが実行される。その結果、サブチャネルの個数および割り当てを、さまざまな干渉およびトラフィック負荷の状況に対処するように、ネットワークのセル／セクタ内で動的に変化させることができる。本発明によれば、変化するネットワーク条件に対するリソース分配の動的適応が可能であり、それにより、限られたスペクトルリソースの最適な使用に関して、大幅な改善が達成される。
【００１２】
本発明による方法は、ＷｉＭＡＸ、ＬＴＥ（Long Term Evolution）、ＷｉＭＡＸフェムトセルおよびＬＴＥフェムトセルに最も好適に適用することができる。また、本発明による方法は、さまざまなデュプレクス方式に適用可能であることに注意すべきである。特に、ほとんどのＷｉＭＡＸ実装で用いられているＴＤＤ（時分割二重）や、対称的なダウンリンクおよびアップリンクのチャネルペアを使用し、セルラ２Ｇおよび３Ｇネットワークで一般的に用いられているＦＤＤ（周波数分割二重）に適用可能である。本発明による方法をＦＤＤ方式（全二重または半二重のいずれでもよい）に適用する場合、基地局測定およびサブチャネル割り当ては、対称的なダウンリンクおよびアップリンクのチャネルペアの両方のチャネルに対して個別に実行される。
【００１３】
具体的実施形態によれば、固定基地局に加えて、ネットワークはアクセスポイント、中継局および／またはフェムト無線基地局を含む。フェムト無線基地局はフェムトセル、ホーム基地局、ホームＢＴＳ、ピコセル、あるいはホームＮＢとも呼ばれる。このようなタイプの基地局は通常、ノマディック型である。すなわち、基地局がかなり頻繁に、あまり構造化されていない形で設置／削除されるため、ネットワークの頻繁なトポロジー変更がローカルに起こる。本発明は、この種の修正や変更にリソース割り当てを動的に適応させることに特に適している。ただし、「基地局」という場合には、ネットワーク内でパケットを送受信しユーザがネットワークにアクセスすることを可能にするいかなる種類の装置も含むことを意図している。
【００１４】
好ましくは、ネットワークの基地局は、自己の測定結果を（上位レイヤの）ネットワークコントローラに報告するように構成される。ＷｉＭＡＸ等の現在のシステムは、このようなレイヤ１情報を、ＡＳＮ（アクセスサービスネットワーク）ゲートウェイのような上位レイヤのネットワークコントローラに送信していない。
【００１５】
好ましい実施形態によれば、基地局は、測定結果とは別に、追加的情報をネットワークコントローラへ送信するようにしてもよい。この追加的情報としては、例えば、周囲の基地局のＩＤ、必要なサブチャネル数、前記サブチャネルが割り当てられるべき時刻、サポートされる最大コネクション数および／またはサポートされる最大トラフィック負荷が挙げられる。ネットワークコントローラは、同一チャネル干渉の回避および負荷依存リソース割り当てに関連する可能性のあるできるだけ多くの情報を有すると有利である。
【００１６】
次のステップで、ネットワークコントローラは、前記基地局から（適宜、追加的情報とともに）受信した測定結果に基づいて、ネットワークの各セルおよび／またはセクタに対する適当なサブチャネル数を計算する。また、ネットワークコントローラが、計算した適当な個数のサブチャネルを各セルおよび／またはセクタに割り当ててもよい。
【００１７】
有利な態様として、ネットワークコントローラは、トラフィック負荷が変化している場合、セルおよび／またはセクタに割り当てられたサブチャネルの個数および／または位置を動的に調整する。別法として、またはこれに加えて、ネットワークコントローラは、ネットワークの既存の基地局が無効化され、および／または新たな基地局がネットワークに追加された場合、サブチャネルを再割り当てしてもよい。基地局の測定結果から、ネットワークコントローラは、これらのステップを実行するのに必要なすべての情報を受け取る。
【００１８】
ネットワークコントローラは、サブチャネルを調整／再割り当てするたびに、ネットワークの基地局（中継局、フェムトセル、アクセスポイント等を含む）にそれぞれの通知を送信するようにしてもよい。基地局は、ネットワークコントローラから情報を受信した後、通知に含まれる配分されたサブチャネルを使用してもよい。すなわち、通知を用いることにより、基地局は、必要に応じて、その通知に従って自己のブロードキャスト特性および／または受信特性を適応させることが可能となる。
【００１９】
別の好ましい実施形態によれば、基地局は、測定された干渉およびトラフィック負荷の変化に関して、自己のセル／セクタに対するサブチャネルの個数および割り当てを変更することを、上位レイヤのネットワークコントローラに要求するようにしてもよい。
【００２０】
割り当てを常に更新された状態に保つため、基地局によって行われる測定は周期的に実行してもよい。その結果、可能なスペクトルリソース調整およびサブチャネル再割り当てを定期的に実施することができるので、ネットワークパフォーマンスは常に最適またはほぼ最適なレベルに保たれ、全体的なネットワークスループットが最大化される。引き続く測定間の時間間隔は、例えば、ネットワーク内の実際の動態に応じて指定してもよい。例えば、ネットワークが比較的静的であることがわかる場合には、頻繁なトポロジー変更の場合および／または不規則で不平衡なトラフィック負荷の場合よりも長い時間間隔を指定してもよい。
【００２１】
全体的制御を向上させるためには、ネットワークコントローラの命令の下で測定を実行すると有益なことがわかる。特に、上位レイヤのネットワークコントローラが、制御シグナリングを送信することによって、トラフィック負荷および干渉パワーに対する測定をどのように実行すべきかを基地局に命令してもよい。例えば、ネットワークコントローラは、いつ、どのくらいの頻度で測定を行い、測定結果をフィードバックすべきかを基地局に通知してもよい。別の例として、ネットワークコントローラは、干渉測定をどのように行うべきかを基地局に通知してもよい。干渉測定は、全帯域にわたるプリアンブル、一部の帯域にわたるプリアンブルサブキャリア、パイロットプリアンブル、または他のトレーニングシーケンスのいずれに基づいてもよい。基地局は、プリアンブルや他のトレーニングシーケンスをスキャンすることによって、周囲の基地局のＩＤを検出することだけが可能な場合もある。
【００２２】
以下で、第１の実施シナリオについて、やや詳細に説明する。これは、フェムトセルアクセスポイントに対する干渉緩和およびサブチャネル割り当てを行うものである。この場合、実施の詳細なステップは次のようにすることができる。
【００２３】
１．フェムトセルアクセスポイントは、起動されると、受信したＯＦＤＭＡフレーム構造体のプリアンブルまたは他のトレーニングシーケンスを検出することによって、自己の通信に干渉する可能性のある隣接基地局（中継局、アクセスポイント等を含む）のスキャンを開始する。
【００２４】
２．フェムトセルアクセスポイントは、周囲の基地局のＩＤを上位レイヤのネットワークコントローラに報告する。フェムトセルアクセスポイントは、ネットワークコントローラが正しい決定をすることを助けるために、当該アクセスポイントによってサポートされる最大コネクション数や、サポートする最大トラフィック負荷のような他のパラメータをネットワークコントローラに報告してもよい。
【００２５】
３．ネットワークコントローラは、ネットワークにアクセスするためにフェムトセルアクセスポイントが使用されることが可能になるように、フェムトセルアクセスポイントの周囲でトラフィック負荷がより低い１つまたは複数の基地局からいくつかのサブチャネルを再割り当てすることを決定する。
【００２６】
４．フェムトセルアクセスポイントは、ネットワークコントローラによって割り当てられたサブチャネルの使用を開始する。
【００２７】
別の例示的な実施シナリオは、ネットワークのセル／セクタ内の動的に変化するネットワークトラフィック負荷への適応を目的とする。この場合、実施ステップは次のようにすることができる。
【００２８】
１．基地局（中継局、アクセスポイント等を含む）が自己のセル／セクタ内のトラフィック負荷を周期的に測定する。
【００２９】
２．基地局は、測定したトラフィック負荷を上位レイヤのネットワークコントローラに報告する。さらに、基地局は、自己のトラフィック負荷に基づいて、サブチャネル数の調整（増加または減少）をネットワークコントローラに直接要求してもよい。
【００３０】
３．ネットワークコントローラは、基地局によって報告された測定結果（または要求）に基づいて、各セル／セクタに対するサブチャネル数を決定する。
【００３１】
４．ネットワークコントローラは、サブチャネルの個数／割り当ての変更を基地局に通知する。
【００３２】
５．基地局は、通信のために、割り当てられたサブチャネルの使用を開始する。
【００３３】
本発明を好適な態様で実施するにはいくつもの可能性がある。このためには、請求項１および１５に従属する諸請求項を参照するとともに、図面により例示された本発明の好ましい実施形態についての以下の説明を参照されたい。図面を用いて本発明の好ましい実施形態を説明する際には、本発明の教示による好ましい実施形態一般およびその変形例について説明する。
【図面の簡単な説明】
【００３４】
【図１】モバイルＷｉＭＡＸに対して現在使用されているＴＤＤ  ＯＦＤＭＡフレーム構造体を示す図である。
【図２】セクタにサブチャネルグループを配分することによる従来技術における同一チャネル干渉シナリオを例示する図である。
【図３】図２の同一チャネル干渉シナリオで、１つのセクタにフェムトセルアクセスポイントを追加した場合を例示する図である。
【図４】本発明の実施形態による動的サブチャネル割り当てのアルゴリズムの流れ図である。
【発明を実施するための形態】
【００３５】
図２の下側に、全部で３個の基地局２ａ、２ｂ、２ｃを有するネットワーク１を模式的に示す。対応するセル３ａ、３ｂ、３ｃを、それぞれの基地局２ａ、２ｂ、２ｃを囲む六角形で示す。各セル３ａ、３ｂ、３ｃは３個のセクタに分割される。セル３ａにおいて、これらのセクタをＡ、Ｂ、およびＣで表す。また、セル３ｂの左側セクタをＤで表し、セル３ｃの上側セクタをＥで表す。
【００３６】
図２の上側からわかるように、ＯＦＤＭＡ周波数領域においては、いわゆるセグメンテーションが実施される。これにより、サブチャネルがグループ化されて、セグメント＃１、＃２、および＃３を形成する。同一チャネル干渉を回避するため、各セグメントは、初期ネットワーク計画段階中に、相異なるセクタまたはセルに配分される。例えば、セル３ａにおいて、セグメント＃１はセクタＡに配分され、セグメント＃２はセクタＢに配分され、セグメント＃３はセクタＣに配分される。
【００３７】
通常、従来技術の解決法によれば、ネットワークに対する周波数再利用の設定は、ネットワークの運用中は固定される。この場合、各セクタ内の動的に変化するネットワーク負荷に適応することは不可能である。例えば、図２において、セクタＡがセクタＢおよびＣに比べてはるかに高いトラフィックを受けている場合を考える。さらに、セクタＣは非常に低いトラフィックであると仮定する。全体的なネットワークスループットを最大化するには、セクタＣにおけるサブチャネルをセクタＡに移転／再割り当てすべきである。これは、セクタＡがより多くの無線リソースを受け、より高いトラフィック負荷を処理できることを意味する。しかし、従来技術においては、各セクタに配分されるサブチャネル数は、ネットワークの運用中は固定されているため、このような平準化手段を実行することはできない。
【００３８】
図３は、図２と同じシナリオを例示している。ただし、新たなフェムトセルアクセスポイント４がネットワーク１内に現れている点でのみ、図２とは異なる。フェムトセルアクセスポイント４は、基本的に、セル３ａ、３ｂ、および３ｃの交点に配置される。すなわち、アクセスポイント４のカバレジエリアは、セクタＢ、Ｄ、およびＥと重畳する。上記ですでに述べたように、サブチャネルの配分は、ネットワーク計画段階中に決定される。これは、図２に関して説明したセグメンテーションが、ネットワーク１の運用段階中はほぼ固定されることを意味する。その結果、フェムトセルアクセスポイント４をネットワークに導入したことによって引き起こされる動的に変化する干渉状態にネットワーク１内のスペクトルリソース分配を適応させることが不可能である。したがって、図３の具体的シナリオにおいて、フェムトセルアクセスポイント４は、セクタＢ内で割り当てられることができない。基本的に、フェムトセルアクセスポイント４は、固定サブチャネル割り当て方式を用いることによって隣接セクタからの干渉を回避することが困難である。というのは、フェムトセルアクセスポイント４に対して使用されるサブチャネルは、隣接セクタ，すなわちセクタＢ、ＤまたはＥによって使用されるサブチャネルと重畳するからである。
【００３９】
図４は、本発明の実施形態による動的サブチャネル割り当てのアルゴリズムの流れ図を示している。本実施形態による動的サブチャネル割り当て方式には、主として５つのステップがある。
【００４０】
第１ステップ。ネットワークの基地局（中継局、アクセスポイント等を含む）が、自己のセル／セクタ内の全トラフィック負荷および隣接するセル／セクタからの同一チャネル干渉パワーに対する測定を実行する。この測定は、ネットワークコントローラの命令の下で周期的に実行することができる。上位レイヤのネットワークコントローラが、制御シグナリングを送信することによって、トラフィック負荷および干渉パワーに対する測定をどのように実行すべきかを基地局に命令してもよい。例えば、上位レイヤのネットワークコントローラは、いつ、どのくらいの頻度で測定を行い、測定結果をフィードバックすべきかを基地局に通知してもよい。別の例として、上位レイヤのネットワークコントローラは、干渉測定をどのように行うべきかを基地局に通知してもよい。干渉測定は、全帯域にわたるプリアンブル、一部の帯域にわたるプリアンブルサブキャリア、パイロットプリアンブル、または他のトレーニングシーケンスのいずれに基づいてもよい。基地局は、プリアンブルや他のトレーニングシーケンスをスキャンすることによって、周囲の基地局のＩＤを検出することだけが可能な場合もある。
【００４１】
第２ステップ。基地局が、セル／セクタ内のトラフィック負荷および／または干渉パワー、および／または周囲の基地局のＩＤ等の測定結果をネットワークコントローラに報告する。基地局は、追加的情報をネットワークコントローラへ送信してもよい。この情報は、必要なサブチャネル数や、サブチャネルが割り当てられるべき時刻を含んでもよい。これにより、上位レイヤのネットワークコントローラによるサブチャネルの配分が容易になる。
【００４２】
第３ステップ。上位レイヤのネットワークコントローラが、基地局から報告された測定結果および追加的情報に基づいて、各セクタ／セルに配分される適当なサブチャネル数を計算する。
【００４３】
第４ステップ。上位レイヤのネットワークコントローラが、サブチャネルの個数および割り当てを基地局に通知する。
【００４４】
第５ステップ。基地局が、通信のために、割り当てられたサブチャネルを使用する。
【００４５】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【図１】
2011523313.tif 000003
【図２】
2011523313.tif 000004
【図３】
2011523313.tif 000005
【図４】
2011523313.tif 000006
【国際調査報告】
2011523313.tif 000007
2011523313.tif 000008
2011523313.tif 000009